(57)【特許請求の範囲】
【請求項１】
水面を貫通する造波フラップと、同造波フラップを所定の方向に往復移動させる駆動手段と、同駆動手段を支える架台とを有する造波装置において、上記造波フラップに対し上記所定の方向に向かって開放された上記架台の内部に消波材が装備されており、同消波材は上記造波フラップにより波動を生起される水面の変動範囲をほぼ覆う高さ位置に装備されていて、水面付近で上記架台の上部前面を覆うように前側消波材が設けられるとともに、同前側消波材の上縁に沿い、上記造波フラップへ向けて突出した波抑え板が設けられていることを特徴とする、造波装置。
【発明の詳細な説明】
【０００１】
【産業上の利用分野】
本発明は、試験水槽等において水面に波を起こすようにした造波装置に関する。
【０００２】
【従来の技術】
従来の造波装置としては図３に示すようなものがあり、水面Ｗを貫通する複数の造波フラップ１が、下端をヒンジ部１ａにより枢着されるようにして横方向に並設されており、モータ４の正逆転に伴いボールネジ３およびロッド２を介して各造波フラップ１が所定方向に往復動することにより、水面Ｗに波を起こすようになっている。
【０００３】
そして、ロッド２，ボールネジ３およびモータ４は、基礎７上の架台６の上面に支持され、同架台６の造波フラップ１に対向する前面は、固定壁６ａで塞がれている。
なお、ボールネジ３は、雄ねじのねじ溝とナットのねじ溝とを対向に配置してできる空間に鋼球を入れたもので、同鋼球の転動により摩擦抵抗の低減をはかるようにしたものである。
【０００４】
【発明が解決しようとする課題】
ところで上述のような従来の造波装置では、造波フラップ１の作動時に同フラップの後方で固定壁６ａとの間にも波を生じ、この波が固定壁６ａに反射して、造波フラップ１の前方に起こす波に悪影響を及ぼすという問題点がある。
本発明はこのような問題点の解消をはかろうするもので、造波フラップの駆動手段を支える架台に消波材を適切に付設することにより、造波作用を正確に行ない且つ精度の高い波を造ることのできるようにした造波装置を提供することを目的とする。
【０００５】
【課題を解決するための手段】
前述の目的を達成するため、本発明の造波装置は、水面を貫通する造波フラップと、同造波フラップを所定の方向に往復移動させる駆動手段と、同駆動手段を支える架台とを有する造波装置において、上記造波フラップに対し上記所定の方向に向かって開放された上記架台の内部に消波材が装備されており、同消波材は上記造波フラップにより波動を生起される水面の変動範囲をほぼ覆う高さ位置に装備されていて、水面付近で上記架台の上部前面を覆うように前側消波材が設けられるとともに、同前側消波材の上縁に沿い、上記造波フラップへ向けて突出した波抑え板が設けられていることを特徴としている。
【０００６】
【作用】
上述の本発明の造波装置では、造波フラップの往復動に伴い、同フラップの前方へ向かう所要の波動を生じるとともに、同フラップから後方の架台へ向かう不要の波動も生じようとするが、この不要の波動は上記造波フラップの駆動手段を支える架台の内部の消波材で吸収されるので、従来のように上記不要の波動が上記架台の前面の固定壁で反射されて、造波フラップ前方の所要の波に悪影響を及ぼすことは、十分に防止されるようになる。
そして上記消波材が、上記造波フラップにより波動を生起される水面の変動範囲をほぼ覆う高さ位置に装備されるので、同消波材に無駄を生じることがなく、コストの低減にも役立つようになる。
【０００７】
また水面付近で上記架台の上部前面を覆うように前側消波材も設けられるので、上記造波フラップから後方ヘ向かう不要の波動の吸収が十分に行なわれるようになり、特に上記架台の両側の柱の前面も上記前側消波材で覆われるので、微少の反射波も抑制されるようになる。
さらに、上記前側消波材の上縁に沿い、上記造波フラップへ向けて突出した波抑え板が設けられているので、上記造波フラップから後方へ向けて生じる波動が上記架台の上面へ乗り上げるのを抑制して同架台上の駆動手段を保護することができ、このようにして上記波抑え板の下面で反射した波は、上記前側消波材へ導かれて吸収されるので、支障をきたすことはない。
【０００８】
【実施例】
以下図面により、本発明の一実施例としての造波装置について説明すると、図１はその側面図、図２は図１のＡ−Ａ矢視図である。
【０００９】
図１，２に示すように、本実施例の造波装置も、従来の場合と同様に、水面Ｗを貫通する複数の造波フラップ１が、下端をヒンジ部１ａにより枢着されるようにして横方向に並設されており、モータ４の正逆転に伴いボールネジ３およびロッド２を介して各造波フラップ１が所定方向に往復動することにより、水面Ｗに波を起こすようになっている。
そして、ロッド２，ボールネジ３およびモータ４は、基礎７上の架台６の上面に支持され、同架台６の造波フラップ１に対向する前面の左右両側には、柱６ｂ，６ｂが並設されている。
【００１０】
本実施例の造波装置では、特に架台６が、造波フラップ１に対し上記所定の方向に向かって開放された内部をそなえており、同内部には消波材５が充填装備されている。そして、消波材５が装備される高さ位置としては、造波フラップ１により波動を生起される水面Ｗの変動範囲をほぼ覆うように設定される。
また、水面Ｗの付近で架台６の上部前面を覆うように、すなわち架台両側の柱６ｂ，６ｂの前面まで覆うように、前側消波材５ａが設けられ、さらに同消波材５ａの上縁に沿い、造波フラップ１へ向けて突出した波抑え板５ｂが設けられている。
【００１１】
上述の本実施例の造波装置では、造波フラップ１の往復動に伴い、同フラップ１の前方へ向かう所要の波動を生じるとともに、同フラップ１から後方の架台６へ向かう不要の波動も生じようとするが、この不要の波動は造波フラップ１の駆動手段としてのモータ４を支える架台６の内部の消波材５で吸収されるので、従来のように上記不要の波動が架台６の前面の固定壁（図３の符号６ａ参照）で反射されて、造波フラップ１の前方の所要の波に悪影響を及ぼすことは、十分に防止されるようになる。
【００１２】
そして消波材５が、造波フラップ１により波動を生起される水面Ｗの変動範囲をほぼ覆う高さ位置に装備されるので、同消波材５に無駄を生じることがなく、コストの低減にも役立つようになる。
また水面Ｗの付近で架台６の上部前面を覆うように前側消波材５ａも設けられるので、造波フラップ１から後方ヘ向かう不要の波動の吸収が十分に行なわれるようになり、特に架台６の両側の柱６ｂ，６ｂの前面も前側消波材５ａで覆われるので、微少の反射波も抑制されるようになる。
【００１３】
さらに、前側消波材５ａの上縁に沿い、造波フラップ１へ向けて突出した波抑え板５ｂが設けられているので、造波フラップ１から後方へ向けて生じる波動が架台６の上面へ乗り上げるのを抑制して同架台６上の駆動手段４を保護することができ、このようにして波抑え板５ｂの下面で反射した波は、前側消波材５ａへ導かれて吸収されるので、支障をきたすことはない。
上述のように、本実施例の造波装置では、駆動手段としてのモータ４を支える架台６に消波材５および前側消波材５ａが適切に付設されることにより、造波作用が正確に行なわれるようになり、試験水槽等において所望の精度の高い波浪を生起させることができるようになる。
【００１４】
【発明の効果】
以上詳述したように、本発明の造波装置によれば、次のような効果が得られる。
(1) 造波フラップの往復動に伴い、同フラップの前方へ向かう所要の波動を生じるとともに、同フラップから後方の架台へ向かう不要の波動も生じようとするが、この不要の波動は上記造波フラップの駆動手段を支える架台の内部の消波材で吸収されるので、造波フラップ前方の所要の波に悪影響を及ぼすことが防止されるようになる。
(2) 上記消波材が、上記造波フラップにより波動を生起される水面の変動範囲をほぼ覆う高さ位置に装備されるので、同消波材に無駄を生じることがなく、コストの低減にも役立つようになる。
(3) 水面付近で上記架台の上部前面を覆うように前側消波材も設けられるので、上記造波フラップから後方ヘ向かう不要の波動の吸収が十分に行なわれるようになり、特に上記架台の両側の柱の前面も上記前側消波材で覆われるので、微少の反射波も抑制されるようになる。
(4) 上記前側消波材の上縁に沿い、上記造波フラップへ向けて突出した波抑え板が設けられているので、上記造波フラップから後方へ向けて生じる波動が上記架台の上面へ乗り上げるのを抑制して同架台上の駆動手段を保護することができ、このようにして上記波抑え板の下面で反射した波は、上記前側消波材へ導かれて吸収されるので、支障をきたすことはない。
(5) 上記(1)〜(4)項により駆動手段としてのモータを支える架台に消波材および前側消波材が適切に付設されることにより、造波作用が正確に行なわれるようになり、試験水槽等において所望の精度の高い波浪を生起させることができるようになる。
【図面の簡単な説明】
【図１】  本発明の一実施例としての造波装置の側面図である。
【図２】  図１のＡ−Ａ矢視図である。
【図３】  従来の造波装置を示す側面図である。
【符号の説明】
１  造波フラップ
１ａ  ヒンジ部
２  ロッド
３  ボールネジ
４  駆動手段としてのモータ
５  消波材
５ａ  前側消波材
５ｂ  波抑え板
６  架台
６ａ  固定壁
６ｂ  架台の柱
７  基礎
【図１】
0003679834.tif 000002
【図２】
0003679834.tif 000003
【図３】
0003679834.tif 000004